(57)【要約】      （修正有）【課題】雪が降っても屋根に雪が積もらずに滑り落とすことができる屋根の雪下ろし装置を提供する。【解決手段】屋根に着脱する為の基礎部材１、基礎部材１に固定される基本骨組み２、及び同様に基礎部材１に固定される屋根中央部の大きな雪割り部骨組み３とし、それらに装着される雪滑り面構成体４ａ，４ｂとからなる。雪割り部骨組み３は自然落雪を促す屋根中央部の傾斜角度５０°〜５５°に形成し、雪割り部雪滑り面構成体４ａからの落雪を受ける基本骨組み２の傾斜角度は４５°〜５０°に形成し、雪割り部骨組み３及び前記落雪を受ける部分の基本骨組み２に雪滑り面構成体４ａ、４ｂを装着した。【選択図】図１
0003185199.tif 000002
【実用新案登録請求の範囲】
【請求項１】
既存の屋根に着脱可能とする自動落雪式の雪下ろし装置であって、屋根に着脱する為の基礎部材１と、基礎部材１に固定される基礎骨組み２及び同様に基礎部材１に固定される屋根中央部の大きな雪割部骨組み３と、前記基本骨組み２と前記雪割部骨組み３に装着される雪滑り面構成体４ａ、４ｂとからなり、自然落雪を促す屋根中央部の前記雪割部骨組み３は、傾斜角度５０°〜５５°に形成し、前記雪割部からの落雪を受ける部分の基本骨組み３の傾斜角度は４５°〜５０°に形成し、前記雪割部骨組み３及び前記落雪を受ける部分の基本骨組み２に前記雪滑り面構成体４ａ、４ｂをはめ込むことを特徴とする屋根の雪下ろし装置。
【考案の詳細な説明】
【技術分野】
【０００１】      本考案は、既存の屋根に着脱可能な構造を特徴とし、自然の原理を最大限利用し、単純な構造、軽量、着脱容易、安価、景観良好にして、熱源、人力等に依らない雪下ろしを実行することにして、冬季中に、雪が屋根に５０Ｃｍ〜１００Ｃｍ積もった場合にこの雪を下すことを目的とするものではなく、２０Ｃｍ〜３０Ｃｍの雪が降っても屋根に雪が積もらずに滑り落とすことを目的とした装置である。
【背景技術】
【０００２】    特許文献１のように地下水を汲み上げて散水する雪処理があるが、地下水の汲み上げによる地盤沈下を招く心配がある。【０００３】    急勾配屋根の新築には多大の費用が必要であり、人力での雪下ろしには命の危険を伴う。実用新案文献１に示される積雪防止装置は、急傾斜の骨組みにシートを被せる方法が示されているが、構造、組み立て方法など現実的とは思えない。実効性のみならず、構造が単純、取り付け容易、軽量かつ景観良好でなければならない。【０００４】    特許文献２、特許文献３、実用新案文献２には、除雪装置としてシートを回転させたり、長尺刷毛を移動させ、また、ベルトコンベアにＣ型雪止め板を取り付け、回転させて雪下ろしを行う方法が示されているが、何れも一長一短あり、総じて装置が精緻かつ複雑であり、設備費、維持管理、雪による回転部分の氷結等、かえって神経を使う。
【先行技術文献】
【特許文献】
【０００５】
【特許文献１】特開第２００７−２１１５７６号公報
【特許文献２】特開第２００１−２０７６８６号公報
【特許文献３】特開第２００７−２４７３７０号公報
【０００６】
【実用新案文献１】
第３１７９５５４号公報
【実用新案文献２】
第３１６６３７０号公報
【考案の概要】
【考案が解決しようとする課題】
【０００７】      毎年冬季、特に屋根に積もった雪の処理は各家庭、及び自治体にとって、精神的、経済的に大きな負担が強いられる。人命の危険も伴う。地域によって雪質が非常に異なり、雪の降り方も気候や、街中又は山間部等の立地条件によっても異なり雪に対する対策、又先行技術等を応用した装置も多分に一長一短があり普及していないのが現状のなかで、そこで雪が５０Ｃｍ〜１００Ｃｍ積もった場合に、この雪を下すことを主たる目的とするものではなく、２０Ｃｍ〜３０Ｃｍ雪が降っても屋根に雪が積もらずに滑り落とすことを目的とし、多額の設備費、熱源等の経費及び人的労力の軽減が求められている。本考案では、上記の課題を解決しようとする装置を提案するものである。
【課題を解決するための手段】
【０００８】      本考案は、前記課題に応えようとするものであり、既存の屋根に着脱可能とする自動落雪式の雪下ろし装置であって、屋根に着脱する為の基礎部材１と、基礎部材１に固定される基本骨組み２及び同様に基礎部材１に固定される屋根中央部の大きな雪割部骨組み３と、基本骨組み２及び雪割部骨組み３に装着される雪すべり面構成体４ａ、４ｂとからなり、自然落雪を促す屋根中央部の雪割部骨組み３は傾斜角度５０°〜５５°に形成し、雪割部骨組み３からの落雪を受ける部分の基本骨組み２の傾斜角度は４５°〜５０°に形成し、雪割部骨組み３及び前記落雪を受ける部分の基本骨組み２に、雪滑り面構成体４ａ、４ｂをはめ込むことを特徴とする屋根の雪下ろし装置を提供する。
【考案の効果】
【０００９】      落雪式先行技術の多くは構造が複雑、また精密すぎ、恐らく設備費、維持費が過多であり、対効果を考えると躊躇せざるをえない。本考案では、既存の屋根に着脱可能にして簡単構造、軽量、安価、落雪効果も自然の原理を最大限活用して、屋根中央の大きな角度を有する雪割部骨組み３にはめ込む雪滑り面構成体４ａ部分で屋根全体の３０％の雪を自然落下させ前記雪すべり面構成体４ａからの落雪を受ける基本骨組み２にはめこむ雪滑り面構成体４ｂとの組み合わせで、雪が屋根に積もらずに滑り落ち、屋根に登っての雪下ろしの必要がない効果がある。
【図面の簡単な説明】
【００１０】
【図１】  本考案の１実施例を示す概略全体説明図
【図２】  同実施例における屋根の基礎部材の取り付け状態を示す側面説明図
【図３】  同実施例における屋根の基礎部材の取り付け状態を示す斜視説明図
【図４】  屋根に装着した両骨組みの側面説明図
【図５】  屋根に装着した両骨組みの部分斜視説明図
【図６】  雪割り部の側面説明図
【図７】  雪割り部の斜視説明図
【図８】  ローラー式エンドレス雪滑り面構成体を示す説明図
【図９】  スライド式雪滑り面構成体を示す説明図
【図１０】  ギア回転式エンドレス雪滑り面構成体を示す側面説明図
【考案を実施するための形態】
【００１１】      以下図示の実施例と共に、実施の形態について説明する。基礎部材１は図２及び図３に示すように屋根の両斜面に２本の鉄アングルを内向きに１００Ｃｍの幅の間隔の組みを複数個設置したものである。２本の鉄アングルには、中央の雪割り部骨組み３の脚部足場部分及びその下部に位置する基本骨組み２の脚部を受ける位置にハシゴ状に鉄アングルを溶接しておく。両屋根斜面上のハシゴ状のアングルは屋根の頂上に跨ぐように置いた鉄板１ｃにボルトで連結固定される。此のハシゴ状のアングルは屋根の大きさで横並びに数ユニットをボルトで連結する。鉄板１ｃ、及びハシゴ状に溶接した部分の下側には、ゴムマット１ｄを敷いて屋根の保護をする。保護ゴムマット１ｄは、ビニールマットでもよい。基礎部材１全体は屋根の軒先及び屋根の端部で固定し動かないようにする。
【００１２】      基本骨組み２及び中央の雪割部骨組み３は、図４及び図５に示すように１００Ｃｍの幅間隔で設置される。両骨組み２及び３は３０ｍｍφ鉄パイプ、又は４５ｍｍφエンビ管材を使用する。雪割部骨組み３の傾斜角度は５０°〜５５°、其の下側の基本骨組み２の傾斜角度は４５°〜５０°で骨組みの脚部は鉄アングル材製の基礎部材１のハシゴ部の足場部分１ａ、１ｂに固定する。図６に示すように雪滑り面構成体４ａ、４ｂをはめ込む為の継手部材２ａ，２ｂ及び３ａ、３ｂを装着してある。
【００１３】      傾斜部分にはめ込む雪滑り面構成体４ａ、４ｂに使用する材料は雪との親和性が重要であり、ポリカーボネート系やフッ素樹脂系が適している。しかしフッ素ガスの塗布も効果がある。雪すべり面構成体４ａ、４ｂの幅は１００Ｃｍでアルミ製材で枠組みされ、傾斜角度の大きい雪割部の雪すべり面構成体４ａは図６に示すように、アルミ材枠に強化性養生マット８、エアキャップ９、強化ポリカーボネート板１１で構成されて、パネルとしてアルミ製骨組みに組み込まれ雪割り部骨組みに装着される。
【００１４】      基本的には、骨組みの傾斜角度が大きいほど、雪は落下しやすいが、水分の非常に多い雪質と激しい雪の降り方の場合、落雪の障害となる危険を有している。そこで、上記の問題を考慮して改良された雪滑り面構成体を提案する。雪割り部の雪滑り面構成体４ａからの落雪を受ける下部の雪すべり面構成体４ｂでは、傾斜角度が１００％自然落下する程大きくないので雪すべり面構成体４ｂのパネル表面上には積雪することが想定される。積雪の程度は、水分の多い雪質及び地域や気象条件に於ける雪の降り方に応じて、雪すべり面構成体４ｂの実施例として幅１００Ｃｍのアルミ材で枠組みされ、両端に設けたベアリングを装着した軽量樹脂製回転ローラー７ａ及び７ｂを組み込み、その周りに養生マット８、エアーキャップ９、養生シート１０で構成されたエンドレス回転シートを有するものを図８に示す。
【００１５】      雪滑り面構成体４ｂの実施例として幅１００Ｃｍのアルミ材で枠組みされ、両端にベアリングを装着した軽量樹脂製回転ローラー７ａ及び７ｂを組み込み構成された回転体の上に、引張バネ１２を上部に、圧縮バネ１３を下部に装着したスライドシート（強化ポリネート板）１１を横ずれしないようにガイドレール１４の枠内で雪の重みでスライドさせて雪を落とす仕組みの図９に示すものを提案する。
【００１６】      雪滑り構成体４ｂの実施例として幅１００Ｃｍのアルミ材で枠組みされ、両端回転ローラー７、及び一端にギア１５を組み込み、ガイドローラー２１を組み込まれた回転体の周りにシートの替りにプラスチック製板をシャッター状もしくはカーテン状のエンドレス回転体１８を組み込まれたギア１５を手動ギア１９もしくは雪の重みを感知するセンサー１７を組み込み電動のモーター１６で回転させ、強制的にパネル上の雪を落とす仕組みの図１０に示すものを提案する。
【００１７】      雪おろしの例として本考案と共に利用する方法として地下水の直接家の屋根に散水もしくは加熱して温水を屋根上の雪にポンプ６により吹きかける方法が考えられる。しかし、地下水の枯渇、地盤沈下、及び電気、ガス、灯油代の経費負担の問題が有る為、家の軒下に深さ３ｍ〜３．５ｍの図１に示すように水槽５を掘り、地下水ではなく雨水を貯水しておき地熱効果で冬期でも加熱の必要のない温水としこれを屋根に散水することにより屋根の降雪の補助の効果にするとともに、屋根から落ちた雪を水槽への受け入れこれによりその雪を溶かし落ちた雪の排除作業を少なくすることにもなる。
【符号の説明】
【００１８】  １    基礎部材
１ａ  ハシゴ部の足場部分
１ｂ  ハシゴ部の足場部分
１ｃ  鉄板
１ｄ  ゴムマット
２    基本骨組み
２ａ  継手部材
２ｂ  継手部材
３    雪割り部骨組み
３ａ  継手部材
３ｂ  継手部材
４    雪滑り面構成体
４ａ  雪滑り面構成体
４ｂ  雪滑り面構成対
５    水槽
６    ポンプ
７    回転ローラー
７ａ  回転ローラー
７ｂ  回転ローラー
８    養生マット
９    エアキャップ
１０    養生シート
１１    強化ポリカーボネート板
１２    引張バネ
１３    圧縮バネ
１４    ガイドレール
１５    ギア
１６    モーター
１７    センサー
１８    回転体
１９    手動ギア
２０    ガイドローラー
【図１】
0003185199.tif 000003
【図２】
0003185199.tif 000004
【図３】
0003185199.tif 000005
【図４】
0003185199.tif 000006
【図５】
0003185199.tif 000007
【図６】
0003185199.tif 000008
【図７】
0003185199.tif 000009
【図８】
0003185199.tif 000010
【図９】
0003185199.tif 000011
【図１０】
0003185199.tif 000012